(57)【特許請求の範囲】
【請求項１】
通信サービスを確立する方法であって、
移動無線通信ネットワークの第１の通信ネットワーク内の第１のネットワーク機能が、前記通信サービスが第２の通信ネットワークと連携しているサービスに関する識別子を必要とすることを判断するステップと、
前記第１の通信ネットワーク内の前記第１のネットワーク機能が、前記移動無線通信ネットワークの前記第１の通信ネットワーク内の第２のネットワーク機能から識別子を要求するステップと、
前記第２のネットワーク機能が、前記第２の通信ネットワークと連携しているサービスに関して前記要求された識別子が前記通信サービスに対して利用可能であるかどうかを判断して、前記要求された識別子が利用可能でないケースでは、前記要求が拒否された前記第１の通信ネットワーク内の前記第１のネットワーク機能へ情報を提供するステップと、
を含み、
前記第１の通信ネットワーク内の前記第１のネットワーク機能が、前記第１の通信ネットワーク内の前記第２のネットワーク機能との第２の通信ネットワーク利用可能性通知と連携しているサービスに関する前記識別子を登録し、
前記第１の通信ネットワーク内の前記第１のネットワーク機能がセッション管理機能（１１４）であることと、前記第１の通信ネットワーク内の前記第２のネットワーク機能がアクセス及びモビリティ管理機能（１１２）であること、の両方又は一方を満たし、
前記第２の通信ネットワークと連携しているサービスに関する前記識別子が、進化型パケットコアネットワークと連携しているサービスに関する進化型パケットシステムベアラ識別子である、
通信サービスを確立する方法。
【請求項２】
前記第１のネットワーク機能によりメッセージを受信して、サービスの品質フローセッションを確立するステップ、
をさらに含む、請求項１に記載の通信サービスを確立する方法。
【請求項３】
前記第２のネットワーク機能が、前記第１のネットワーク機能へ遅延要求を与えて、移動端末の識別子を設定するため前記第１のネットワーク機能からのすべてのその後の要求を遅延させる、
請求項１又は２に記載の通信サービスを確立する方法。
【請求項４】
前記第２のネットワーク機能が、連携しているサービスに関して前記要求された識別子についての優先順位値を決定し、
複数のネットワーク機能が前記第２の通信ネットワークと連携しているサービスに関する前記識別子を要求する場合、前記要求された識別子のうちの少なくとも１つが利用可能でないケースでは、前記第２のネットワーク機能は、前記要求が拒否された前記複数のネットワーク機能のうちの少なくとも１つへ情報を提供し、
前記第２のネットワーク機能が、最も低い優先順位値に関係する前記第２の通信ネットワークと連携しているサービスに関する前記識別子を要求している前記複数のネットワーク機能のうちの前記少なくとも１つを選択する、
請求項１〜３のいずれか一項に記載の通信サービスを確立する方法。
【請求項５】
通信サービスを確立する方法であって、
移動無線通信ネットワークの第１の通信ネットワーク内の第２のネットワーク機能が、前記移動無線通信ネットワークの前記第１の通信ネットワーク内の第２のネットワーク機能から識別子接続を確立するための要求を第１の通信ネットワーク内の第１のネットワーク機能から受信するステップと、
前記第２のネットワーク機能は、前記要求された識別子が前記通信サービスに対して利用可能であるかどうかを判断して、前記要求された識別子が利用可能でないケースでは、前記要求が拒否された旨の情報を前記第１の通信ネットワーク内の第１のネットワーク機能へ提供するステップと、
を含み、
前記第１の通信ネットワーク内の前記第１のネットワーク機能が、前記第１の通信ネットワーク内の前記第２のネットワーク機能との第２の通信ネットワーク利用可能性通知と連携しているサービスに関する識別子を登録し、
前記第１の通信ネットワーク内の前記第１のネットワーク機能がセッション管理機能（１１４）であることと、前記第１の通信ネットワーク内の前記第２のネットワーク機能がアクセス及びモビリティ管理機能（１１２）であること、の両方又は一方を満たし、
前記第２の通信ネットワークと連携しているサービスに関する前記識別子が、進化型パケットコアネットワークと連携しているサービスに関する進化型パケットシステムベアラ識別子である、
通信サービスを確立する方法。
【請求項６】
通信サービスを確立するための装置であって、
前記通信サービスが第２の通信ネットワークと連携しているサービスに関する識別子を必要とすることを判断するように構成された移動無線通信ネットワークの第１の通信ネットワーク内の第１のネットワーク機能、
を備え、
前記第１の通信ネットワーク内の前記第１のネットワーク機能が、前記移動無線通信ネットワークの前記第１の通信ネットワーク内の第２のネットワーク機能から識別子を要求するようにさらに構成され、
前記第２のネットワーク機能は、前記第２の通信ネットワークと連携しているサービスに関して前記要求された識別子が前記通信サービスに対して利用可能であるかどうかを判断して、前記要求された識別子が利用可能でないケースでは、前記要求が拒否された前記第１の通信ネットワーク内の前記第１のネットワーク機能へ情報を提供するように構成され、
前記第１の通信ネットワーク内の前記第１のネットワーク機能が、前記第１の通信ネットワーク内の前記第２のネットワーク機能との第２の通信ネットワーク利用可能性通知と連携しているサービスに関する識別子を登録するようにさらに構成され、
前記第１の通信ネットワーク内の前記第１のネットワーク機能がセッション管理機能（１１４）を備える若しくはセッション管理機能として構成されることと、前記第１の通信ネットワーク内の前記第２のネットワーク機能がアクセス及びモビリティ管理機能（１１２）を備える若しくはアクセス及びモビリティ管理機能として構成されること、の両方又は一方を満たし、
前記第２の通信ネットワークと連携しているサービスに関する前記識別子が、進化型パケットコアネットワークと連携しているサービスに関する進化型パケットシステムベアラ識別子である、
通信サービスを確立するための装置。
【請求項７】
通信サービスを確立するための装置であって、
識別子を確立するための要求を第１の通信ネットワーク内の第１のネットワーク機能から受信するように構成された第１の通信ネットワーク内の第２のネットワーク機能、
を備え、
前記第２のネットワーク機能は、前記要求された識別子が前記通信サービスに対して利用可能であるかどうかを判断し、前記要求された識別子が利用可能でないケースでは、前記要求が拒否された前記第１のネットワーク機能へ情報を提供するように構成され、
前記第１の通信ネットワーク内の前記第１のネットワーク機能が、前記第１の通信ネットワーク内の前記第２のネットワーク機能との第２の通信ネットワーク利用可能性通知と連携しているサービスに関する識別子を登録し、
前記第１の通信ネットワーク内の前記第１のネットワーク機能がセッション管理機能（１１４）であることと、前記第１の通信ネットワーク内の前記第２のネットワーク機能がアクセス及びモビリティ管理機能（１１２）であること、の両方又は一方を満たし、
前記第２の通信ネットワークと連携しているサービスに関する前記識別子が、進化型パケットコアネットワークと連携しているサービスに関する進化型パケットシステムベアラ識別子である、
通信サービスを確立するための装置。
【発明の詳細な説明】
【技術分野】
【０００１】
[0001]この開示の様々な態様は、一般に移動無線通信ネットワークのコアネットワークに関する。
【背景技術】
【０００２】
[0002]第１の通信ネットワークに合せて新しい通信サービス（例えば、新しい通信セッション）を確立するときに、第１の通信ネットワークの構成要素は、第２の通信ネットワークへのハンドオーバのケースに使用されるだろう第２の通信ネットワーク用の識別子、すなわち進化型パケットシステム（ＥＳＰ）ベアラ識別子（ＩＤ）（ＥＢＩ）を割り当てる。第２の通信ネットワークでは、ＥＢＩの数が移動端末当たり８個に制限されており、その結果、通信セッションの数が第２の通信ネットワークにおいて利用可能なＥＢＩの数よりも大きいことが起こり得る。第１の通信ネットワークは、これゆえ、どの通信セッションに利用可能なＥＢＩが割り当てられるかを決定する必要がある。
【発明の概要】
【０００３】
通信サービスを確立する方法であって、上記方法は：移動無線通信ネットワークの第１の通信ネットワーク内の第１のネットワーク機能が、上記通信サービスが第２の通信ネットワークと連携しているサービスに関する識別子を必要とすることを判断するステップと；上記第１の通信ネットワーク内の上記第１のネットワーク機能が、上記移動無線通信ネットワークの上記第１の通信ネットワーク内の第２のネットワーク機能から識別子を要求するステップと；上記第２のネットワーク機能が、上記第２の通信ネットワークと連携しているサービスに関して上記要求された識別子が上記通信サービスに対して利用可能であるかどうかを判断して、上記要求された識別子が利用可能でないケースでは、上記要求が拒否された上記第１の通信ネットワーク内の上記第１のネットワーク機能へ情報を提供するステップとを含む。
【０００４】
[0003]図面では、類似の参照符号は、異なる図の全体を通して同じ部品を一般に参照している。図面は、必ずしも正確な縮尺である必要はなく、発明の原理を図説するために強調が代わりに一般に行われる。下記の説明では、発明の様々な実施形態が下記の図面を参照して説明される。
【図面の簡単な説明】
【０００５】
【図１】ＰＤＵセッション確立中に第１の通信ネットワーク内の通信接続のＥＢＩパラメータを確立する、言い換えると発生させることを提供する様々なメッセージを図示しているメッセージシーケンス図である。
【図２】スライスベースの優先順位付けに基づいた例示的なＥＢＩ割当てを図示しているメッセージシーケンス図２００である。
【図３】ＤＮＮベースの優先順位付けに基づいた例示的なＥＢＩ割当てを図示しているメッセージシーケンス図３００である。
【図４】ＥＢＩ利用可能性に関する例示的な登録を図示しているメッセージシーケンス図４００である。
【発明を実施するための形態】
【０００６】
[0004]下記の詳細な説明は、図説として、発明が実行されることがある具体的な詳細及び実施形態を示している添付の図面を参照している。
【０００７】
[0005]「例示的な」という用語は、「例、事例、又は実例として働くこと」を意味するように本明細書では使用される。「例示的な」として本明細書において説明されるいずれかの実施形態又は設計が、他の実施形態又は設計よりも好ましい又は有利であると必ずしも考える必要はない。
【０００８】
[0006]様々な通信ネットワーク、例えば移動無線通信ネットワークの様々な世代が共存する移動無線通信ネットワークでは、ユーザ機器（ＵＥ）（携帯電話機とも呼ばれる）などの無線通信端末デバイス、又は接続された車両を含め移動無線通信ネットワークに接続されているデバイス内の１つ若しくは複数の構成要素、及びモノのインターネット内のデバイスは、モバイルユーザに対する何らかの通信サービス中断なしに、１つの移動無線通信ネットワーク（例えば、第１の通信ネットワーク）からもう１つの移動無線通信ネットワーク（例えば、第２の通信ネットワーク）へと絶えず無線通信技術を切り替えなければならないことがあり、ここでは２つの移動無線通信ネットワークが、例えば、５Ｇ移動無線通信技術又は４Ｇ移動無線通信技術などの２つの異なる移動無線通信ネットワーク世代に基づいている。
【０００９】
[0007]この要求は、ＵＥが異なる移動無線通信技術同士の間をシームレスに移動することを可能にする互換性機構に対する必要性を強調している。
【００１０】
[0008]このような世代切り替えの実施形態は、例えば、ＵＥが５Ｇ無線通信ネットワークから４Ｇ無線通信ネットワークへと接続を変えるときに生じることがある。５Ｇ無線通信ネットワークでは、ＵＥは、４Ｇ無線通信ネットワークにおけるよりも１つ以上の通信サービス（通信セッションとも呼ばれる）を維持することができる。５Ｇ無線通信ネットワークから４Ｇ無線通信ネットワークへと切り替えると、ＵＥの１つ以上の通信サービス（複数可）は機能し続けることができ、一方で他のサービス（複数可）は中止される又は保留されるだろう。
【００１１】
[0009]５Ｇにおいて新しい通信接続（言い換えると、新しい通信セッション）の作成のときに、通信サービスが継続できるかどうかを制御するために、５Ｇ無線通信ネットワークのコアネットワークの構成要素は、識別子（例えば、進化型パケットシステム（ＥＳＰ）ベアラ識別子（ＩＤ）（ＥＢＩ））を割り当て、そしてＵＥへ転送する必要がある。４Ｇ無線通信ネットワーク識別子は、４Ｇ進化型パケットコア（ＥＰＣ）への通信セッションのハンドオーバのケースで使用され得る。ＥＢＩパラメータは、通信接続がオープンに維持されることが必要であるかどうか又はクローズされるべきであるかどうかを、ＵＥ及び／又は４Ｇ無線通信コアネットワーク、言い換えるとＥＰＣに通知するための信号である。結局、ＥＢＩステータスは、ＵＥが５Ｇ無線通信ネットワークから４Ｇ無線通信ネットワークへと移動するときに、新しい通信接続が連続性特性を有するかどうかを示している。
【００１２】
[0010]さらにその上、４Ｇ無線通信規格によれば、許される同時ＥＢＩ接続の数は、８個に制限されるが、そのような制約は、５Ｇ無線通信規格では存在しない。これゆえ、パケットデータユニット（ＰＤＵ）通信セッションをもたらす新しい５Ｇサービスの品質（ＱｏＳ）フロー、言い換えると５Ｇベースの移動無線通信ネットワークにおける新しい通信セッションの生成のときに、許されるＥＢＩ接続の数が８個の４Ｇ制限を超えないように注意しなければならない。
【００１３】
[0011]図１は、「５Ｇシステムのための手順」という名称の移動無線通信規格３ＧＰＰＴＳ２３．５０２、バージョンＶ１．５．０にしたがったサービスの品質（ＱｏＳ）フロー通信セッション確立の間に５Ｇ無線通信ネットワーク内の通信接続のＥＢＩパラメータを確立する、言い換えると生成するために行われる様々なメッセージを図説しているメッセージシーケンス図１００を示している。
【００１４】
[0012]通信セッション開始に関係する様々な構成要素は、ＵＥ１０２などの移動端末、並びにアクセス及びモビリティ管理機能（ＡＭＦ）構成要素１１２、及び少なくとも１つのセッション管理機能（ＳＭＦ（複数可））構成要素１１４を含む５Ｇ通信コアネットワーク１１０であり得る。
【００１５】
[0013]ＵＥ１０２は、３Ｇ移動無線通信技術、４Ｇ移動無線通信技術又はそれどころか５Ｇ移動無線通信技術などの任意の所望の移動無線通信技術にしたがった移動無線通信用に準備されたいずれかのプロセッサ、回路又は構成要素若しくはモジュールを含むことができる。例として、ＵＥ１０２は、１つ以上のアンテナ、例えば、１つ又は複数のパワー増幅器（ＰＡ）、１つ又は複数の低雑音増幅器（ＬＮＡ）などの、例えば１つ又は複数の増幅器を含んでいる１つ以上の無線周波数（ＲＦ）フロントエンド回路を含むことができる。ＵＥ１０２は、受信信号又は送信しようとする信号のベースバンド処理のために準備された１つ又は複数のベースバンド回路をさらに含むことができる。さらにその上、ＵＥ１０２は、高レベル信号処理又はアプリケーションプログラムの準備のための１つ又は複数のアプリケーションプロセッサを含むことができる。プロセッサ又はコントローラは、このように、アナログ回路、ディジタル回路、ミックストシグナル回路、論理回路、プロセッサ、マイクロプロセッサ、中央処理ユニット（ＣＰＵ）、グラフィックス処理ユニット（ＧＰＵ）、ディジタル信号プロセッサ（ＤＳＰ）、フィールドプログラマブルゲートアレイ（ＦＰＧＡ）、集積回路、特定用途向け集積回路（ＡＳＩＣ）、等、又は上記の任意の組合せであってもよい又は含むことができる。さらに詳細に下記に説明されるだろうそれぞれの機能のいずれかの他の種類の実装形態は、プロセッサ、コントローラ、又は論理回路としてやはり理解されてもよい。本明細書において詳しく述べる任意の２つ（以上）のプロセッサ、コントローラ、又は論理回路が等価な機能、等を有する単一のエンティティとして実現されることがあり、そして逆に本明細書において詳しく述べる任意の単一のプロセッサ、コントローラ、又は論理回路が等価な機能、等を有する２つ（以上）の別々のエンティティとして実現されてもよいことが理解される。
【００１６】
[0014]ＵＥ１０２は、ＰＤＵ通信セッション確立要求メッセージ１２０を生成することができ、そしてＡＭＦ１１２などのＰＤＵ通信セッション確立に対して責任がある５Ｇ通信コアネットワーク１１０内の構成要素へＰＤＵ通信セッション確立要求メッセージ１２０を送信することができる。ＰＤＵ通信セッション確立要求メッセージ１２０を受信すると、ＡＭＦ１１２は、ＰＤＵ通信セッション確立要求メッセージ１３０を生成し、そしてＡＭＦ１１２は、ＳＭＦ１１４などの５Ｇ通信コアネットワークの別の構成要素へＰＤＵ通信セッション確立要求メッセージ１３０を送信する。
【００１７】
[0015]ＳＭＦ１１４は、ＰＤＵ通信セッション作成要求メッセージ１３０を受信すると、ＰＤＵ通信セッションのＥＢＩステータスについての判断を行い、次いでＡＭＦ１１２に向けたＰＤＵ作成コンテキスト応答メッセージ１３２及び通信ＥＢＩ割当てメッセージ１４０を発行して、ＵＥに対するＥＢＩ割当てを要求する。
【００１８】
[0016]通信ＥＢＩ割当てメッセージ１４０を受信すると、ＡＭＦ１１２は、ＥＰＣ内で連携するサービスについてのＥＢＩパラメータを割り当てることができ、そしてＡＭＦ１１２は、ＳＭＦ１１４へＥＢＩ割当て応答メッセージ１４２において割り当てられたＥＢＩ（複数可）を送る。
【００１９】
[0017]ＥＢＩ割当て応答メッセージ１４２は、通信サービス当たり最大８個のＥＢＩ通信接続の制約に違反しているか否かに依存する。
【００２０】
[0018]ＥＢＩ通信接続制限に違反していないときには、様々な実施形態では、ＡＭＦ１１２によるＥＢＩ割当て応答メッセージ１４２は、そのメッセージヘッダ部分に少なくとも１つメッセージフィールド又は確立されたＰＤＵセッションに対応するサービスの品質（ＱｏＳ）フロー識別情報（ＩＤ）及びＵＥ１０２に対して作成されている１つ以上のＥＢＩ（複数可）をメッセージ１４２のペイロード内に符号化した情報を含むことができる。
【００２１】
[0019]そうでなくてＥＢＩ接続制限に違反しているときには、様々な実施形態では、ＡＭＦによるＥＢＩ割当て応答メッセージ１４２は、メッセージヘッダ部分内に少なくとも１つのメッセージフィールド又は拒否を指示し、メッセージのペイロード内に符号化された情報を含むことができ、拒否は例示的な値拒否ＥＢＩ要求、いくつかの実施形態では割り当てられたＥＢＩ通信接続の最大数の違反を示すことができる少なくとも１つの拒否の原因によって示されることがあり、バックオフタイマの形態で少なくとも１つの遅延を示すことができる。遅延は、ＡＭＦ１１２が指定されたＵＥ１０２に関するいずれかのＥＢＩ要求を承諾する前にＰＧＷ−Ｃ＋ＳＭＦ１１４に課されることがある遅延、ＡＭＦ１１２が特定されたＵＥ１０２に関するいずれかのＥＢＩ要求を承諾する（又は要求する）前にＳＭＦ１１４に課すことができる遅延である。
【００２２】
[0020]いくつかの実施形態では、遅延機能は、タイマであってもよく、他の実装形態では、遅延機能は、バックオフタイマであってもよい。
【００２３】
[0021]いくつかの実施形態では、ＡＭＦによるＥＢＩ割当て応答メッセージ１４２は、拒否若しくはＡＲＰ（割当て及び保持優先順位）リスト、又はドメインネットワーク名（ＤＮＮ）若しくは単一ネットワークスライス選択支援情報（Ｓ−ＮＳＳＡＩ）のうちの少なくとも１つを含むことができる。
【００２４】
[0022]いくつかの実施形態では、遅延は、どのＱｏＳフローが他に好まれるべきであるかを特定する優先順位テーブルを拠りどころにすることがある。
【００２５】
[0023]図２は、スライスベースの優先順位付けに基づいた例示的なＥＢＩ割当てを図示しているメッセージシーケンス図２００を示している。
【００２６】
[0024]通信セッション開始に係わる様々な構成要素は、少なくとも１つのアクセス及びモビリティ管理機能（ＡＭＦ）構成要素２１２、少なくとも１つの制御プレーンのパケットデータネットワーク（ＰＧＷ−Ｃ）及び／又はセッション管理機能（ＳＭＦ）構成要素（ＰＧＷ−Ｃ＋ＳＭＦ＃１）２１４、並びに少なくとも１つの制御プレーンのパケットデータネットワーク（ＰＧＷ−Ｃ）及び／又はセッション管理機能（ＳＭＦ）構成要素（ＰＧＷ−Ｃ＋ＳＭＦ＃２）２１６であり得る。
【００２７】
[0025]ＰＧＷ−Ｃ＋ＳＭＦ＃１  ２１４は、メッセージヘッダ部分内に少なくとも１つのメッセージフィールド又は少なくとも１つのＰＤＵセッションＩＤ、少なくとも１つのＡＲＰリスト、例示的な値ＤＮＮ＃１を指示している少なくとも１つのＤＮＮ、及び例示的な値Ｓ−ＮＳＳＡＩ＃１を指示している少なくとも１つのＳ−ＮＳＳＡＩを指示し、メッセージ２４０のペイロード内に符号化された情報を含んでいる通信ＥＢＩ割当てメッセージ２４０をＡＭＦ２１２へ送信する。
【００２８】
[0026]ＰＧＷ−Ｃ＋ＳＭＦ＃２  ２１６は、メッセージヘッダ部分内に少なくとも１つのメッセージフィールド又は少なくとも１つのＰＤＵセッションＩＤ、少なくとも１つのＡＲＰリスト、例示的な値ＤＮＮ＃１を指示している少なくとも１つのＤＮＮ、及び例示的な値Ｓ−ＮＳＳＡＩ＃２を指示している少なくとも１つのＳ−ＮＳＳＡＩを指示し、メッセージ２５０のペイロード内に符号化された情報を含んでいる通信ＥＢＩ割当てメッセージ２５０をＡＭＦ２１２へ送信する。
【００２９】
[0027]ＡＭＦ２１２は、メッセージ２４０及び２５０を受信すると、例示的な優先順位リストに対して例示的なメッセージ２４０及び２５０内のＳ−ＮＳＳＡＩを符合させる。
【００３０】
[0028]実例として、Ｓ−ＮＳＳＡＩ＃２がＳ−ＮＳＳＡＩ＃１よりも高い優先順位を有することを優先順位リストが示すときには、ＡＭＦ２１２は、ＰＧＷ−Ｃ＋ＳＭＦ＃２からのＥＢＩ要求を許可し、一方でＡＭＦは、ＰＧＷ−Ｃ＋ＳＭＦ＃１からのＥＢＩ要求を拒否する。
【００３１】
[0029]ＡＭＦ２１２は、これゆえ、ＰＧＷ−Ｃ＋ＳＭＦ＃１  ２１４へ拒否メッセージ２４２を送信する、ここでメッセージは、メッセージヘッダ部分内に少なくとも１つのメッセージフィールド又例示的な値拒否ＥＢＩ要求によって示されることがある拒否を指示し、メッセージ２４２のペイロード内に符号化された情報、いくつかの実施形態では割り当てられたＥＢＩ通信接続の最大数の違反を示すことができる少なくとも１つの拒否の原因を含むことができ、バックオフタイマの形態で少なくとも１つの遅延を示すことができる。
【００３２】
[0030]ＡＭＦ２１２は、これゆえ、ＰＧＷ−Ｃ＋ＳＭＦ＃２  ２１６へ許可メッセージ２５２を送信する、ここでメッセージは、そのメッセージヘッダ部分内に少なくとも１つメッセージフィールド又は確立されたＰＤＵセッションに対応するサービスの品質（ＱｏＳ）フロー識別情報（ＩＤ）のメッセージ２４２のペイロード内に符号化された情報及びＥＢＩのリストを含むことができる。
【００３３】
[0031]図３は、ＤＮＮベースの優先順位付けに基づいた例示的なＥＢＩ割当てを図示しているメッセージシーケンス図３００を示している。
【００３４】
[0032]通信セッション開始に係わる様々な構成要素は、少なくとも１つのアクセス及びモビリティ管理機能（ＡＭＦ）構成要素３１２、少なくとも１つの制御プレーンのパケットデータネットワーク（ＰＧＷ−Ｃ）及び／又はセッション管理機能（ＳＭＦ）構成要素（ＰＧＷ−Ｃ＋ＳＭＦ＃１）３１４、並びに少なくとも１つの制御プレーンのパケットデータネットワーク（ＰＧＷ−Ｃ）及び／又はセッション管理機能（ＳＭＦ）構成要素（ＰＧＷ−Ｃ＋ＳＭＦ＃２）３１６であり得る。
【００３５】
[0033]ＰＧＷ−Ｃ＋ＳＭＦ＃１  ３１４は、メッセージヘッダ部分内に少なくとも１つのメッセージフィールド又は少なくとも１つのＰＤＵセッションＩＤ、少なくとも１つのＡＲＰリスト、例示的な値ＤＮＮ＃１を指示している少なくとも１つのＤＮＮを指示し、メッセージ３４０のペイロード内に符号化された情報を含んでいる通信ＥＢＩ割当てメッセージ３４０をＡＭＦ３１２へ送信する。
【００３６】
[0034]ＰＧＷ−Ｃ＋ＳＭＦ＃２  ３１６は、メッセージヘッダ部分内に少なくとも１つのメッセージフィールド又は少なくとも１つのＰＤＵセッションＩＤ、少なくとも１つのＡＲＰリスト、例示的な値ＤＮＮ＃２を指示している少なくとも１つのＤＮＮを指示し、メッセージ３５０のペイロード内に符号化された情報を含んでいる通信ＥＢＩ割当てメッセージ３５０をＡＭＦ３１２へ送信する。
【００３７】
[0035]ＡＭＦ３１２は、メッセージ３４０及び３５０を受信すると、例示的な優先順位リストに対して例示的なメッセージ３４０及び３５０内のＤＮＮを符合させる。
【００３８】
[0036]実例として、ＤＮＮ＃２がＤＮＮ＃１よりも高い優先順位を有することを優先順位リストが示しているときには、ＡＭＦ３１２は、ＰＧＷ−Ｃ＋ＳＭＦ＃２  ３１６からのＥＢＩ要求を許可し、一方でＡＭＦは、ＰＧＷ−Ｃ＋ＳＭＦ＃１  ３１４からのＥＢＩ要求を拒否する。
【００３９】
[0037]ＡＭＦ３１２は、ＰＧＷ−Ｃ＋ＳＭＦ＃１  ３１４へ拒否メッセージ３４２を送信する、ここでメッセージは、メッセージヘッダ部分内に少なくとも１つのメッセージフィールド又は例示的な値拒否ＥＢＩ要求によって示されることがある拒否、いくつかの実施形態では割り当てられたＥＢＩ通信接続の最大数の違反を示すことができる少なくとも１つの拒否の原因を指示し、メッセージ３４２のペイロード内に符号化された情報を含むことができ、バックオフタイマの形態で少なくとも１つの遅延を示すことができる。
【００４０】
[0038]ＡＭＦ３１２は、ＰＧＷ−Ｃ＋ＳＭＦ＃２  ３１６へ許可メッセージ３５２を送信する、ここでメッセージは、そのメッセージヘッダ部分内に少なくとも１つメッセージフィールド又は確立されたＰＤＵセッションに対応するサービスの品質（ＱｏＳ）フロー識別情報（ＩＤ）のメッセージ３４２のペイロード内に符号化された情報及びＥＢＩのリストを含むことができる。
【００４１】
[0039]いくつかの実施形態では、優先順位テーブルは、ＱｏＳフローが作成されることがある無線通信ネットワークスライスに基づくことがある。このような優先順位の例は、ＡＭＦ１１２が単一ネットワークスライス選択支援情報（Ｓ−ＮＳＳＡＩ）に基づいてＱｏＳフローを優先順位付けすることができること、又はＡＭＦ１１２が通信接続のドメインネットワーク名に基づいてＱｏＳフローを優先順位付けすることができること、又はＡＭＦ１１２がＵＥ１０２登録の数に基づいて通信接続を優先順位付けすることができること、又はＡＭＦ１１２がＵＥ１０２位置に基づいて通信接続を優先順位付けすることができることを含むことができる。
【００４２】
[0040]いくつかの実施形態では、ＥＢＩ割当ては登録プロセスに基づき、以て、新しいＥＢＩ通信サービスがそれぞれの通信セッションにおいて又はＵＥに対して利用可能になるときに通知されるべきＡＭＦ１１２の方に、ＳＭＦ１１４は登録する。
【００４３】
[0041]図４は、ＥＢＩ利用可能性に関する例示的な登録を図示しているメッセージシーケンス図４００を示している。
【００４４】
[0042]通信セッション開始に係わる様々な構成要素は、少なくとも１つのアクセス及びモビリティ管理機能（ＡＭＦ）構成要素４１２、少なくとも１つの制御プレーンのパケットデータネットワーク（ＰＧＷ−Ｃ）及び／又はセッション管理機能（ＳＭＦ）構成要素（ＰＧＷ−Ｃ＋ＳＭＦ＃１）４１４、並びに少なくとも１つの制御プレーンのパケットデータネットワーク（ＰＧＷ−Ｃ）及び／又はセッション管理機能（ＳＭＦ）構成要素（ＰＧＷ−Ｃ＋ＳＭＦ＃２）４１６であり得る。
【００４５】
[0043]ＰＧＷ−Ｃ＋ＳＭＦ＃１  ４１４は、メッセージヘッダ部分内に少なくとも１つのメッセージフィールド又は少なくとも１つのＰＤＵセッションＩＤ、少なくとも１つのＡＲＰリスト、少なくとも１つのＤＮＮ、及び例示的な値Ｓ−ＮＳＳＡＩ＃１を指示している少なくとも１つのＳ−ＮＳＳＡＩを指示し、メッセージ４４０のペイロード内に符号化された情報を含んでいる通信ＥＢＩ割当てメッセージ４４０をＡＭＦ４１２へ送信する。
【００４６】
[0044]ＰＧＷ−Ｃ＋ＳＭＦ＃２  ４１６は、メッセージヘッダ部分内に少なくとも１つのメッセージフィールド又は少なくとも１つのＰＤＵセッションＩＤ、少なくとも１つのＡＲＰリスト、少なくとも１つのＤＮＮ、及び例示的な値Ｓ−ＮＳＳＡＩ＃２を指示している少なくとも１つのＳ−ＮＳＳＡＩを指示し、メッセージ４５０のペイロード内に符号化された情報を含んでいる通信ＥＢＩ割当てメッセージ４５０をＡＭＦ４１２へ送信する。
【００４７】
[0045]ＡＭＦ４１２は、メッセージ４４０及び４５０を受信すると、例示的な優先順位リストに対して例示的なメッセージ４４０及び４５０内のＳ−ＮＳＳＡＩを符合させる。
【００４８】
[0046]実例として、Ｓ−ＮＳＳＡＩ＃２がＳ−ＮＳＳＡＩ＃１よりも高い優先順位を有することを優先順位リストが示しているときには、ＡＭＦ４１２は、ＰＧＷ−Ｃ＋ＳＭＦ＃２  ４１６からのＥＢＩ要求を許可し、一方でＡＭＦは、ＰＧＷ−Ｃ＋ＳＭＦ＃１  ４１４からのＥＢＩ要求を拒否する。
【００４９】
[0047]ＡＭＦ４１２は、ＰＧＷ−Ｃ＋ＳＭＦ＃１  ４１４へ拒否メッセージ４４２を送信する、ここでメッセージは、メッセージヘッダ部分内に少なくとも１つのメッセージフィールド又は例示的な値拒否ＥＢＩ要求によって示されることがある拒否、いくつかの実施形態では割り当てられたＥＢＩ通信接続の最大数の違反を示すことができる少なくとも１つの拒否の原因を指示し、メッセージ４４２のペイロード内に符号化された情報を含むことができ、バックオフタイマの形態で少なくとも１つの遅延を示すことができる。
【００５０】
[0048]ＡＭＦ４１２は、ＰＧＷ−Ｃ＋ＳＭＦ＃２  ４１６へ許可メッセージ４５２を送信する、ここでメッセージは、そのメッセージヘッダ部分内に少なくとも１つメッセージフィールド又は確立されたＰＤＵセッションに対応するサービスの品質（ＱｏＳ）フロー識別情報（ＩＤ）のメッセージ４４２のペイロード内に符号化された情報及びＥＢＩのリストを含むことができる。
【００５１】
[0049]メッセージ４５２を受信すると、ＰＧＷ−Ｃ＋ＳＭＦ＃１  ４１４は、ＡＭＦ４１２へＥＢＩ割当て応答メッセージ４６０を送信する、ここでメッセージは、そのメッセージヘッダ部分内に少なくとも１つメッセージフィールド又は例示的な値がＳＵＰであってもよいＵＩアイデンティティをメッセージ４６０のペイロード内に符号化した情報を含むことができる。
【００５２】
[0050]メッセージ４６０を受信すると、ＡＭＦはメッセージ４６２を送信する、ここでメッセージは、そのメッセージヘッダ部分内に少なくとも１つメッセージフィールド又はＡＣＫのメッセージ４６２のペイロード内に符号化された情報を含むことができる。
【００５３】
[0051]ＥＢＩが空であるときには、ＡＭＦは、ＰＧＷ−Ｃ＋ＳＭＦ＃１へＥＢＩ利用可能通知４７０を送信することができる、ここでメッセージは、そのメッセージヘッダ部分内に少なくとも１つメッセージフィールド又はＡＣＫのメッセージ４６０のペイロード内に符号化された情報を含むことができる。
【００５４】
[0052]ＰＧＷ−Ｃ＋ＳＭＦ＃１  ４１４は、メッセージヘッダ部分内に少なくとも１つのメッセージフィールド又は少なくとも１つのＰＤＵセッションＩＤ、少なくとも１つのＡＲＰリスト、少なくとも１つのＤＮＮ、及び例示的な値Ｓ−ＮＳＳＡＩ＃１を指示している少なくとも１つのＳ−ＮＳＳＡＩを指示し、メッセージ４４０のペイロード内に符号化された情報を含んでいる通信ＥＢＩ割当てメッセージ４４０をＡＭＦ４１２へ送信することができる。
【００５５】
[0053]下記には、様々な実施例が、上に説明した態様を参照して与えられている。
【００５６】
[0054]実施例１は、通信サービスを確立する方法である。方法は、第１の通信ネットワーク内のネットワーク機能が、通信サービスが第２の通信ネットワークと連携しているサービスに関する識別子を必要としていることを判断することを含むことができ、第１の通信ネットワーク内の第１のネットワーク機能が移動無線通信ネットワークの第１の通信ネットワーク内の第２のネットワーク機能から識別子を要求し、第２のネットワーク機能が、第２の通信ネットワークと連携しているサービスに関して要求された識別子が通信サービスに対して利用可能であるかどうかを判断し、要求された識別子が利用可能でない場合には、要求が拒否された第１の通信ネットワーク内の第１のネットワーク機能へ情報を提供する。
【００５７】
[0055]実施例２では、実施例１の主題は、第１の通信ネットワーク内の第１のネットワーク機能が第１の通信ネットワーク内の第２のネットワークとの第２の通信ネットワーク利用可能性通知と連携しているサービスに関する識別子を登録することを任意選択で含むことができる。
【００５８】
[0056]実施例３では、実施例１又は２のうちのいずれか１つの主題は、第１の通信ネットワーク内の第１のネットワーク機能がセッション管理機能であること、及び／又は第１の通信ネットワークにおける第２のネットワーク機能がアクセス及びモビリティ管理機能であることを任意選択で含むことができる。
【００５９】
[0057]実施例４では、実施例１〜３のうちのいずれか１つの主題は、第２の通信ネットワークと連携しているサービスに関する識別子が、進化型パケットコアネットワークと連携しているサービスに関する進化型パケットシステムベアラ識別子であることを任意選択で含むことができる。
【００６０】
[0058]実施例５では、実施例１〜４のうちのいずれか１つの主題は、方法が、第１のネットワーク機能によりメッセージを受信して、サービスの品質フローセッションを確立することさらに含むことを任意選択で含むことができる。
【００６１】
[0059]実施例６では、実施例１〜５のうちのいずれか１つの主題は、第２のネットワーク機能が、第１のネットワーク機能へ遅延要求を与えて、移動端末の識別子を設定するため第１のネットワーク機能からのすべてのその後の要求を遅延させることを任意選択で含むことができる。
【００６２】
[0060]実施例７では、実施例６の主題は、遅延がバックオフタイマによって決定されることを任意選択で含むことができる。
【００６３】
[0061]実施例８では、実施例６又は７のうちのいずれか１つの主題は、遅延の長さが、通信サービスの優先順位に依存することを任意選択で含むことができる。
【００６４】
[0062]実施例９では、実施例６〜８のうちのいずれか１つの主題は、遅延の長さが、通信サービスが確立される無線通信ネットワークスライスのタイプに依存することを任意選択で含むことができる。
【００６５】
[0063]実施例１０では、実施例８又は９のうちのいずれか１つの主題は、通信サービスの優先順位が、どのサービスの品質通信フローが好まれるべきであるかを特定する優先順位テーブルを拠りどころにすることを任意選択で含むことができる。
【００６６】
[0064]実施例１１では、実施例１０の主題は、優先順位テーブルがモバイルネットワークオペレータによって管理されることを任意選択で含むことができる。
【００６７】
[0065]実施例１２では、実施例１０又は１１のうちのいずれか１つの主題は、優先順位テーブル内の優先順位が、サービスの品質通信フローが作成される無線通信ネットワークスライスに基づき、優先順位が、単一ネットワークスライス選択支援情報及び／若しくは通信接続のドメインネットワーク名、並びに／又は無線通信端末デバイス登録、並びに／又は無線通信端末デバイス位置に好ましくは基づくことを任意選択で含むことができる。
【００６８】
[0066]実施例１３では、実施例２の主題は、第１のネットワーク機能が、新しい識別子接続がいつ利用可能になるかを通知されるべき第２のネットワーク機能の方に登録することを任意選択で含むことができる。
【００６９】
[0067]実施例１４では、実施例１〜１３のうちのいずれか１つの主題は、第１のネットワーク機能が、遅延の終了後にだけ識別子を要求することを任意選択で含むことができる。
【００７０】
[0068]実施例１５は、通信セッションを確立する方法である。方法は、第２の通信ネットワーク内の第２のネットワーク機能が、移動無線通信ネットワークの第１の通信ネットワーク内の第２のネットワーク機能から識別子接続を確立するための要求を第１の通信ネットワーク内の第１のネットワーク機能から受信すること、第２のネットワーク機能が、要求された識別子が通信サービスに対して利用可能であるかどうかを判断して、要求された識別子が利用可能でないケースでは、要求が拒否された第１のネットワーク機能へ情報を提供することを含むことができる。
【００７１】
[0069]実施例１６では、実施例１５の主題は、第１の通信ネットワーク内の第１のネットワーク機能が、第１の通信ネットワーク内の第２のネットワークとの第２の通信ネットワーク利用可能性通知と連携しているサービスに関する識別子を登録することを任意選択で含むことができる。
【００７２】
[0070]実施例１７では、実施例１５又は１６のうちのいずれか１つの主題は、第１の通信ネットワーク内の第１のネットワーク機能が、セッション管理機能であること、及び／又は第１の通信ネットワーク内の第２のネットワーク機能が、アクセス及びモビリティ管理機能であることを任意選択で含むことができる。
【００７３】
[0071]実施例１８では、実施例１５〜１７のうちのいずれか１つの主題は、第２の通信ネットワークと連携しているサービスに関する識別子が、進化型パケットコアネットワークと連携しているサービスに関する進化型パケットシステムベアラ識別子であることを任意選択で含むことができる。
【００７４】
[0072]実施例１９では、実施例１５〜１８のうちのいずれか１つの主題は、方法が、第１のネットワーク機能によりメッセージを受信して、サービスの品質フローセッションを確立することをさらに含むことを任意選択で含むことができる。
【００７５】
[0073]実施例２０では、実施例１５〜１９のうちのいずれか１つの主題は、第２のネットワーク機能が、前記第１のネットワーク機能へ遅延要求を与えて、移動端末の識別子を設定するため第１のネットワーク機能からのすべてのその後の要求を遅延させることを任意選択で含むことができる。
【００７６】
[0074]実施例２１では、実施例２０の主題は、遅延がバックオフタイマによって決定されることを任意選択で含むことができる。
【００７７】
[0075]実施例２２では、実施例２０又は２１のうちのいずれか１つの主題は、遅延の長さが、通信サービスの優先順位に依存することを任意選択で含むことができる。
【００７８】
[0076]実施例２３では、実施例２０〜２２のうちのいずれか１つの主題は、遅延の長さが、通信サービスが確立される無線通信ネットワークスライスのタイプに依存することを任意選択で含むことができる。
【００７９】
[0077]実施例２４では、実施例２２又は２３のうちのいずれか１つの主題は、通信サービスの優先順位が、どのサービスの品質通信フローが好まれるべきであるかを特定する優先順位テーブルを拠りどころにすることを任意選択で含むことができる。
【００８０】
[0078]実施例２５では、実施例２４の主題は、優先順位テーブルがモバイルネットワークオペレータによって管理されることを任意選択で含むことができる。
【００８１】
[0079]実施例２６では、実施例２４又は２５のうちのいずれか１つの主題は、優先順位テーブル内の優先順位が、サービスの品質通信フローが作成される無線通信ネットワークスライスに基づき、優先順位が、単一ネットワークスライス選択支援情報及び／若しくは通信接続のドメインネットワーク名、並びに／又は無線通信端末デバイス登録、並びに／又は無線通信端末デバイス位置に好ましくは基づくことを任意選択で含むことができる。
【００８２】
[0080]実施例２７では、実施例１６の主題は、第１のネットワーク機能構成要素が、新しい識別子接続がいつ利用可能になるかを通知されるべき第２のネットワーク機能の方に登録することを任意選択で含むことができる。
【００８３】
[0081]実施例２８では、実施例１５〜２７のうちのいずれか１つの主題は、第１のネットワーク機能が、遅延の終了後にだけ識別子を要求することを任意選択で含むことができる。
【００８４】
[0082]実施例２９は、通信サービスを確立するための装置である。装置は、通信サービスが第２の通信ネットワークと連携しているサービスに関する識別子を必要とすることを判断するように構成された第１の通信ネットワーク内の第１のネットワーク機能を含むことができ、第１の通信ネットワーク内の第１のネットワーク機能が、移動無線通信ネットワークの第１の通信ネットワーク内の第２のネットワーク機能から識別子を要求するようにさらに構成され、第２のネットワーク機能が、第２の通信ネットワークと連携しているサービスに関して要求された識別子が通信サービスに対して利用可能であるかどうかを判断し、要求された識別子が利用可能でないケースでは、要求が拒否された第１の通信ネットワーク内の第１のネットワーク機能へ情報を提供するように構成される。
【００８５】
[0083]実施例３０では、実施例２９の主題は、第１の通信ネットワーク内の第１のネットワーク機能が、第１の通信ネットワーク内の第２のネットワークとの第２の通信ネットワーク利用可能性通知と連携しているサービスに関する識別子を登録するようにさらに構成されることを任意選択で含むことができる。
【００８６】
[0084]実施例３１では、実施例２９又は３０のうちのいずれか１つの主題は、第１の通信ネットワーク内の第１のネットワーク機能が、セッション管理機能を含む若しくはセッション管理機能として構成されること、及び／又は第１の通信ネットワーク内の第２のネットワーク機能が、アクセス及びモビリティ管理機能を含む若しくはアクセス及びモビリティ管理機能として構成されることを任意選択で含むことができる。
【００８７】
[0085]実施例３２では、実施例２９〜３１のうちのいずれか１つの主題は、第２の通信ネットワークと連携しているサービスに関する識別子が、進化型パケットコアネットワークと連携しているサービスに関する進化型パケットシステムベアラ識別子であることを任意選択で含むことができる。
【００８８】
[0086]実施例３３では、実施例２９〜３２のうちのいずれか１つの主題は、装置が、第１のネットワーク機能によりメッセージを受信して、サービスの品質フローセッションを確立するように構成された受信機をさらに含むことを任意選択で含むことができる。
【００８９】
[0087]実施例３４では、実施例２９〜３３のうちのいずれか１つの主題は、第２のネットワーク機能が、第１のネットワーク機能へ遅延要求を与えて、移動端末の識別子を設定するため第１のネットワーク機能からのすべてのその後の要求を遅延させるように構成されることを任意選択で含むことができる。
【００９０】
[0088]実施例３５では、実施例３４の主題は、装置が、遅延を与えるように構成されたバックオフタイマをさらに含むことを任意選択で含むことができる。
【００９１】
[0089]実施例３６では、実施例３４又は３５のうちのいずれか１つの主題は、遅延の長さが、通信サービスの優先順位に依存することを任意選択で含むことができる。
【００９２】
[0090]実施例３７では、実施例３４〜３６のうちのいずれか１つの主題は、遅延の長さが、通信サービスが確立される無線通信ネットワークスライスのタイプに依存することを任意選択で含むことができる。
【００９３】
[0091]実施例３８では、実施例３６又は３７のうちのいずれか１つの主題は、通信サービスの優先順位が、どのサービスの品質通信フローが好まれるべきであるかを特定する優先順位テーブルを拠りどころにすることを任意選択で含むことができる。
【００９４】
[0092]実施例３９では、実施例３８の主題は、優先順位テーブルがモバイルネットワークオペレータによって管理されることを任意選択で含むことができる。
【００９５】
[0093]実施例４０では、実施例３８又は３９のうちのいずれか１つの主題は、優先順位テーブル内の優先順位が、サービスの品質通信フローが作成される無線通信ネットワークスライスに基づき、優先順位が、単一ネットワークスライス選択支援情報及び／若しくは通信接続のドメインネットワーク名、並びに／又は無線通信端末デバイス登録、並びに／又は無線通信端末デバイス位置に好ましくは基づくことを任意選択で含むことができる。
【００９６】
[0094]実施例４１では、実施例４０の主題は、第１のネットワーク機能が、新しい識別子接続がいつ利用可能になるかを通知されるべき第２のネットワーク機能の方に登録するように構成されることを任意選択で含むことができる。
【００９７】
[0095]実施例４２では、実施例２９〜４１のうちのいずれか１つの主題は、第１のネットワーク機能が、遅延の終了後にだけ識別子を要求するように構成されることを任意選択で含むことができる。
【００９８】
[0096]実施例４３は、通信セッションを確立するための装置である。装置は、移動無線通信ネットワークの第１の通信ネットワーク内の第２のネットワーク機能からの識別子接続を確立するための要求を第１の通信ネットワーク内の第１のネットワーク機能から受信するにように構成された第２の通信ネットワーク内の第２のネットワーク機能を含むことができ、第２のネットワーク機能が、要求された識別子が通信サービスに対して利用可能であるかどうかを判断して、要求された識別子が利用可能でないケースでは、要求が拒否された第１のネットワーク機能へ情報を提供するように構成される。
【００９９】
[0097]実施例４４では、実施例４３の主題は、第１の通信ネットワーク内の第１のネットワーク機能が、第１の通信ネットワーク内の第２のネットワーク機能との第２の通信ネットワーク利用可能性通知と連携しているサービスに関する識別子を登録するように構成されることを任意選択で含むことができる。
【０１００】
[0098]実施例４５では、実施例４３又は４４のうちのいずれか１つの主題は、第１の通信ネットワーク内の第１のネットワーク機能が、セッション管理機能を含む若しくはセッション管理機能として構成されること、並びに／又は第１の通信ネットワーク内の第２のネットワーク機能が、アクセス及びモビリティ管理機能を含む若しくはアクセス及びモビリティ管理機能として構成されることを任意選択で含むことができる。
【０１０１】
[0099]実施例４６では、実施例４３〜４５のうちのいずれか１つの主題は、第２の通信ネットワークと連携しているサービスに関する識別子が、進化型パケットコアネットワークと連携しているサービスに関する進化型パケットシステムベアラ識別子であることを任意選択で含むことができる。
【０１０２】
[00100]実施例４７では、実施例４３〜４６のうちのいずれか１つの主題は、装置が、サービスの品質フローセッションを確立するために第１のネットワーク機能によりメッセージを受信するように構成された受信機をさらに含むことを任意選択で含むことができる。
【０１０３】
[00101]実施例４８では、実施例４３〜４７のうちのいずれか１つの主題は、第２のネットワーク機能が、第１のネットワーク機能へ遅延要求を与えて、移動端末の識別子を設定するため第１のネットワーク機能からのすべてのその後の要求を遅延させるように構成されることを任意選択で含むことができる。
【０１０４】
[00102]実施例４９では、実施例４８の主題は、装置が、遅延を与えるように構成されたバックオフタイマをさらに含むことを任意選択で含むことができる。
【０１０５】
[00103]実施例５０では、実施例４８又は４９のうちのいずれか１つの主題は、遅延の長さが、通信サービスの優先順位に依存することを任意選択で含むことができる。
【０１０６】
[00104]実施例５１では、実施例４８〜５０のうちのいずれか１つの主題は、遅延の長さが、通信サービスが確立される無線通信ネットワークスライスのタイプに依存することを任意選択で含むことができる。
【０１０７】
[00105]実施例５２では、実施例５０又は５１のうちのいずれか１つの主題は、通信サービスの優先順位が、どのサービスの品質通信フローが好まれるべきであるかを特定する優先順位テーブルを拠りどころにすることを任意選択で含むことができる。
【０１０８】
[00106]実施例５３では、実施例５２の主題は、優先順位テーブルが、モバイルネットワークオペレータによって管理されることを任意選択で含むことができる。
【０１０９】
[00107]実施例５４では、実施例５２又は５３のうちのいずれか１つの主題は、優先順位テーブル内の優先順位が、サービスの品質通信フローが作成される無線通信ネットワークスライスに基づき、優先順位が、単一ネットワークスライス選択支援情報及び／若しくは通信接続のドメインネットワーク名、並びに／又は無線通信端末デバイス登録、並びに／又は無線通信端末デバイス位置に好ましくは基づくことを任意選択で含むことができる。
【０１１０】
[00108]実施例５５では、実施例４４の主題は、第１のネットワーク機能構成要素が、新しい識別子接続がいつ利用可能になるかを通知されるべき第２のネットワーク機能の方に登録することを任意選択で含むことができる。
【０１１１】
[00109]実施例５６では、実施例４３〜５５のうちのいずれか１つの主題は、第１のネットワーク機能が、遅延の終了後にだけ識別子を要求することを任意選択で含むことができる。
【０１１２】
[00110]発明が特定の実施形態を参照して特に示されそして説明されてきている一方で、形態及び詳細における様々な変更が別記の特許請求の範囲によって規定されるような発明の意図及び範囲から逸脱せずにここで行われ得ることが、当業者には理解されるはずである。発明の範囲は、別記の特許請求の範囲によってこのように示され、特許請求の範囲の等価物の意味及び範囲内になるすべての変更は、これゆえ包含されるものとする。
【図１】
0006678275.tif 000002
【図２】
0006678275.tif 000003
【図３】
0006678275.tif 000004
【図４】
0006678275.tif 000005